(57)【要約】【課題】  従来の透明ケースにスリーブを被せた収容ケースでは、収容物を展示する際に、スリーブが外し難かったり取り外したスリーブの置き場所に困っていた。またスリーブには収容物を引き立てる機能がなかった。【解決手段】  透明ケースとこの周りを覆う外装ケースとから成り、外装ケースはその周囲方向に一繋りとなるような１辺の折目とこれ以外の辺の切目とを有してここから開閉自在であり、折目の内側となる部位に透明ケースが外装ケースの開閉自在性を損なうことなく取り付けられている。外装ケースを開いた時には外装ケースがそのまま展示台のようになって透明ケースとその収容物とを引き立てることが出来るも、従来のスリーブとは異なり不要となることがなく取り扱いに便利であり、またその状態から外装ケースを閉じて透明ケースとその収容物とをしっかりと保護することが出来る。【選択図】図１
2010254372.tif 000002
【特許請求の範囲】
【請求項１】
物品等を収容する透明ケースと、この透明ケースの周りを覆う外装ケースとから成り、前記外装ケースはその周囲方向に一繋りとなるような１辺の折り目とこれ以外の辺の切れ目とを有してここから開閉自在であり、前記折り目の内側となる部位に前記透明ケースが前記外装ケースの開閉自在性を損なうことなく取り付けられていることを特徴とする、物品等の収容ケース。
【請求項２】
前記透明ケースの下部にこの透明ケースの受台が設けられており、この受台が前記外装ケースの折り目の内側となる部位に取り付けられている、請求項１に記載の物品等の収容ケース。
【請求項３】
前記透明ケースが前記外装ケースの底部から宙に浮くように設けられている、請求項１に記載の物品等の収容ケース。
【請求項４】
前記透明ケースの奥側の内壁に鏡面が設けられている、請求項１に記載の物品等の収容ケース。
【請求項５】
前記外装ケースの前記透明ケースの側面に相対する内壁に鏡面が設けられている、請求項１に記載の物品等の収容ケース。
【請求項６】
前記外装ケースを開けた時にこの外装ケースの外に飛び出す飾りが、この外装ケースの内側にまたは前記透明ケースに設けられている、請求項１に記載の物品等の収容ケース。
【発明の詳細な説明】
【技術分野】
【０００１】  この発明は、しっかりした収容ケースでありながらそのまま展示ケースとしても使用することが可能な新規な構造を備えている、物品等の収容ケースに関するものである。
【背景技術】
【０００２】  従来より物品等の収容ケースとして受台の上に合成樹脂製の透明ケースを設けたものがあった。全体は円柱形状であったり角柱形状であったりする。この収容ケースの中に例えばキャラクター人形を収容するには、受台の上にキャラクター人形を置いてその上に透明ケースを被せるようにしている。あるいは受台と透明ケースとが一体のものでは、透明ケースの中にキャラクター人形を納めてからその上に蓋を被せるようにしている。またこれ以外の形態のものもある。なおこのような収容ケースの運搬、倉庫での収納、販売に際しては、収容ケースの上に紙製等のスリーブを被せるようにして内部を隠し保護するようにしている。
【特許文献１】特になし
【発明の開示】
【発明が解決しようとする課題】
【０００３】  しかしながら上述したような収容ケースを販売店で展示したり、客が購入して家で飾る場合には、前記スリーブを外さなくてはならないが、しっかりと被されていることが多く収容ケースを取り出す迄に一苦労がある。またスリーブは再度の利用に備えるのであればこれを取っておく必要があるが、案外置き場所に困るものである。またスリーブを外した収容ケースはどこかありふれていてその収容物を引き立てるような機能が備わっていない。【０００４】  従ってこの発明は、上述したようなスリーブを不要とするも、内部を保護することが出来ると共に、展示飾り時にはその収容物を引き立てることが出来るような、そうした新規な構造を備えた物品等の収容ケースを提供することを課題とするものである。
【課題を解決するための手段】
【０００５】  上記課題は、物品等を収容する透明ケースと、この透明ケースの周りを覆う外装ケースとから成り、前記外装ケースはその周囲方向に一繋りとなるような１辺の折目とこれ以外の辺の切目とを有してここから開閉自在であり、前記折目の内側となる部位に前記透明ケースが前記外装ケースの開閉自在性を損なうことなく取り付けられている、物品等の収容ケースとすることにより達成される。【０００６】  外装ケースは前記１辺の折目を境にして開閉自在であって、この折目の部位に透明ケースが取り付けられているため、外装ケースを閉じると、物品等を収容する透明ケースは外装ケースの中に隠されて保護されるが、外装ケースを開くことによって透明ケースはその姿を現わすことになる。外装ケースは透明ケースとは前記折目の部位で一体であるから、この開かれた外装ケースは透明ケースの両側に位置して透明ケースの展示台としての役目を果たすと共に透明ケース内のキャラクター人形等の収容物をより一層魅力的に見せる。また展示が不要となったならばただ外装ケースを閉じるだけで透明ケースをその中に収容して保護することが出来る。従って前記外装ケースは上述したスリーブとは異なり不要となることもなく取り扱いに便利である。またこのように全体の構造が簡単であるため製造コストも比較的安い。【０００７】  このような収容ケースに於いて、前記透明ケースの下部にこの透明ケースの受台が設けられており、この受台が前記外装ケースの折目の内側となる部位に取り付けられているものとすることが出来る。受台を用いない場合には透明ケースを前記折目の部位に取り付けるが、受台を用いる場合にはこの受台を折目の部位に取り付けるようにして良い。このように受台がある場合でも実質的に透明ケースが折目の部位に取り付けられていると見ることが出来るのである。【０００８】  また請求項１の物品等の収容ケースに於いて、透明ケースが前記外装ケースの底部から宙に浮くように設けられているものとすることが可能である。これは透明ケースが前記折目の部位に取り付けられるものであるため、底部から浮かして取り付けることが出来るのである。【０００９】  また請求項１の物品等の収容ケースに於いて、前記透明ケースの奥側の内壁に鏡面が設けられているものとすることが出来る。従ってこの中に収容される物品等の後ろ側の様子をも映し出して見せることが可能となる。【００１０】  また請求項１の物品等の収容ケースに於いて、外装ケースの前記透明ケースの側面に相対する内壁に鏡面が設けられているものとすることが出来る。この鏡面の存在によって、透明ケース内に収容される物品等の斜め後ろ側の様子をも映し出して見せることが可能となる。なおこの様子は外装ケースの開き具合によって変化する。【００１１】  また請求項１の物品等の収容ケースに於いて、前記外装ケースを開けた時にこの外装ケースの外に飛び出す飾りが、この外装ケースの内側にまたは前記透明ケースに設けられているものとすることが出来る。この飾りは外装ケースを閉じている間はこの中に隠されているが、外装ケースを開けると透明ケースが見えるようになるのと同時にこの飾りが外に飛び出して来る。従ってより立体感を表わすことが可能である。なお飾りはバネ���を有するものに取り付ければより勢い良く飛び出すようになる。【００１２】  なお物品等を収容する透明ケースに関しては、全体が透明なものであっても、外装ケースを開いた時に見える部位の必要な部分のみを透明窓にしたものなどであっても良い。外装ケースは不透明のものに限られず透明のものであっても良いのは言うまでもない。また透明ケースと外装ケースとは形状が同一である必要はない。そして各々は円柱形状や角柱形状や台形状などの任意形状のものであって良い。透明ケースも外装ケースもその素材や製造方法は任意である。
【発明の効果】
【００１３】  この発明によれば、外装ケースを開いた時には外装ケースがそのまま展示台のようになって透明ケースとその収容物とを引き立てることが出来るも、上述したスリーブとは異なり不要となることがなく取り扱いに便利であり、またその状態から外装ケースを閉じることが可能で、外装ケースにより透明ケースとその収容物とをしっかりと保護することが出来る、と言う効果がある。
【発明を実施するための最良の形態】
【００１４】  以下ではこの発明の４種の実施形態を図面を参照しつつ説明するが、この発明はこれ等の実施形態にのみ限定されるものではない。例えば以下の実施形態では外装ケースはその縦方向の周囲に一繋りとなるような１辺の折目とこれ以外の辺の切目とを有してここから開閉自在であるが、これを横方向の周囲に設けた実施形態も提供可能である。【００１５】  第１実施形態
図１〜図３で表したこの実施形態の物品等の収容ケースはフィギュア（人形）を収容しまた展示するための人形ケースに係るものである。外装ケースとしての収容展示ケース２は紙製の不透明なものであり、前側の辺と上下の辺との３辺の切れ目２１，２２，２３で左右に２分割されるも、後ろ側の１辺の折り目２０によってなお一体でありこの折り目２０から開閉自在である。またこの折り目２０は山折りであり、２つの紙製のＶ字形状のヒンジ３はその折り曲げ線３０が前記折り目２０に一致するようにしてあたかもＸ字形状を呈するように配置されて、各々収容展示ケース２と受け台１０とに接着されている。すなわち受け台１０は２つのヒンジ３によって収容展示ケース２に取り付けられるも、収容展示ケース２の開閉動作はこれによって損なわれることなく自由である（図１、図２、なお図２は収容展示ケース２の両側の底部を切欠して表わしたものである）。そしてこの受け台１０に合成樹脂製の透明ケース１が載置されており、この透明ケース１内にフィギュアが納められるのである（フィギュアは図示せず）。【００１６】  図３は収容展示ケース２が閉じられている状態を表わしており、切れ目２２の位置にシール４が貼られてこのまま保管、運搬、販売陳列、収納等が行われる。収容展示ケース２は透明ケース１とその中に納められているフィギュアとをしっかりと保護している。そこでシール４を剥して収容展示ケース２を左右に開放させると、図１で表わしたように透明ケース１とその中のフィギュアとが見られるようになる。この際に収容展示ケース２は不要とはならず、むしろそのまま展示台のようになって透明ケース１とその収容物とを引き立てることが出来るのである。このように収容展示ケース２は取り扱いに便利である。【００１７】  第２実施形態
この実施形態の物品等の収容ケースはその構成の殆どを上述した第１実施形態の収容ケースに倣うものであるが、透明ケース５を受け台１０を用いることなく直接的に収容展示ケース２に取り付けている点と、透明ケース５の底部を収容展示ケース２の底部から浮かせて空間Ｓが形成されるように取り付けている点とに特徴を有する。これを図４にて図示するが、この図４は収容展示ケース２を折り目２０で切欠して表したものである。なお合成樹脂製の透明ケース５は円筒形状を呈しており、収容展示ケース２に対してはその折り目２０の部位に上下２箇所のヒンジ３を介して取り付けている。【００１８】  従って収容展示ケース２を左右に開放させると透明ケース５とその中のフィギュアとが収容展示ケース２内で宙に浮いているかのように見えると言う効果を奏する（図示せず）。なおこの円筒形状の透明ケース５はバキューム成型に成るものである。【００１９】  第３実施形態
図５はこの実施形態の透明ケース１を図示したものであるが、透明ケース１内の背面部に鏡６を設けた点に特徴を有する。【００２０】  これによって透明ケース１の中のフィギュアの背面を見せることが出来るし、また左右に開放された収容展示ケース２から入り込んだ光が鏡６で反射されるため、展示をよりきらびやかに見せることが出来る。後者の意味では鏡６の代わりとしてフォログラムシート等の光を複雑に反射し得る素材も利用可能である。【００２１】  第４実施形態
この実施形態の物品等の収容ケースはその構成の殆どを上述した第１実施形態の収容ケースに倣うものであるが、収容展示ケース２の左右の側面部分に鏡７を設けた点に特徴を有する（図６、なお図６は収容展示ケース２の両側の底部分を切欠して表わしたものである）。これによって透明ケース１の中のフィギュアの背面から側面に掛けての姿を見せることが出来る。【００２２】  更にこの実施形態では透明ケース１の正面にラミネート紙製の飾り８をコイルバネ８０を介して取り付けている点にも特徴を有する。収容展示ケース２を閉じる際に飾り８を押えコイルバネ８０を縮めて透明ケース１の正面壁に添わせるようにして収容展示ケース２内に隠すようにするのである。次に収容展示ケース２を開くと飾り８がコイルバネ８０の力で勢い良く現われ、あっと言う驚きを与えることが出来るのである。なお収容展示ケース２が開放された状態ではちょっとした振動で飾り８が揺れる状態が見られる。従って透明ケース１に収容する物品等として例えば宣伝用の化粧品容器を用いるのであれば、この飾り８をＰＯＰ等とすることが可能である。
【産業上の利用可能性】
【００２３】  この発明の物品等の収容ケースは商品販売用に用いられるのみならず、宣伝用品の展示などにも利用可能である。
【図面の簡単な説明】
【００２４】
【図１】  第１実施形態の展示状態を示した斜視図である。
【図２】  同実施形態の一部を切欠して底面視した説明図である。
【図３】  同実施形態の収容状態を示した正面図である。
【図４】  第２実施形態の一部を切欠して側面視した説明図である。
【図５】  第３実施形態の透明ケース１の断面図である。
【図６】  第４実施形態の一部を切欠して底面視した説明図である。
【符号の説明】
【００２５】  １  透明ケース    １０受け台    ２  収容展示ケース    ２０折り目
２１切れ目        ２２切れ目    ２３切れ目            ３  ヒンジ
３０折り曲げ線    ４  シール    ５  透明ケース        ６  鏡
７  鏡            ８  飾り      ８０コイルバネ        Ｓ  空間
【図１】
2010254372.tif 000003
【図２】
2010254372.tif 000004
【図３】
2010254372.tif 000005
【図４】
2010254372.tif 000006
【図５】
2010254372.tif 000007
【図６】
2010254372.tif 000008